(57)【要約】      （修正有）【課題】より簡単に取り外すことができるコンベア装置用のコンベアベルトを提供する。【解決手段】コンベア装置用のコンベアベルト１は、コンベアベルト１の全幅にわたって延在するコネクタ機構のため、無端状バンド、すなわち閉ループの形状にし、かつ再度解除することができる。このコネクタ機構は、搬送方向４に引裂き耐性があり、かつ横方向に可撓性がある。このコネクタ機構は、コンベアベルト１の搬送方向４に対して９０°以外の斜角で、コンベアベルト１の全幅にわたって延在する。【選択図】図１
0003186985.tif 000002
【実用新案登録請求の範囲】
【請求項１】
コンベア装置（２）用のコンベアベルト（１）であって、前記コンベアベルト（１）は、閉ループの形状にしかつ再度開くことができ、前記コンベアベルト（１）が、前記コンベアベルト（１）の全幅にわたって延在するコネクタ機構（３）を備え、前記コネクタ機構（３）が、前記コンベアベルト（１）の搬送方向（４）に引裂き耐性があり、かつ前記搬送方向（４）を横切る方向に可撓性がある、コンベア装置（２）用のコンベアベルト（１）において、
前記コネクタ機構（３）が、前記コンベアベルトの前記搬送方向（４）に対して９０°以外の角度で、前記コンベアベルト（１）の幅にわたって延在することを特徴とする、コンベア装置（２）用のコンベアベルト（１）。
【請求項２】
請求項１に記載のコンベア装置（２）用のコンベアベルト（１）において、前記角度が、７０°から９０°の間であることを特徴とする、コンベア装置（２）用のコンベアベルト（１）。
【請求項３】
請求項１に記載のコンベア装置（２）用のコンベアベルト（１）において、前記角度が、正確に８０°であることを特徴とする、コンベア装置（２）用のコンベアベルト（１）。
【請求項４】
請求項１から３の一項に記載のコンベア装置（２）用のコンベアベルト（１）において、前記コネクタ機構（３）が、前記コンベアベルトの両端部にあるコネクタ領域（１０）内に配置された複数のコネクタ要素（５）を備え、さらに、前記コンベアベルト（１）が閉ループの形状になった後に、前記コンベアベルト（１）を係止する働きをするコネクタ手段（６）を備えることを特徴とする、コンベア装置（２）用のコンベアベルト（１）。
【請求項５】
請求項４に記載のコンベア装置（２）用のコンベアベルト（１）において、前記コネクタ要素（５）が、互いに噛合するように構成された、第１の螺旋シーム（７Ａ）および第２の螺旋シーム（７Ｂ）として構成されることを特徴とする、コンベア装置（２）用のコンベアベルト（１）。
【請求項６】
請求項４に記載のコンベア装置（２）用のコンベアベルト（１）において、前記コネクタ要素（５）が、互いに噛合するように構成されたループ（８）の形状に構成されることを特徴とする、コンベア装置（２）用のコンベアベルト（１）。
【請求項７】
請求項４から６の一項に記載のコンベア装置（２）用のコンベアベルト（１）において、前記コネクタ手段（６）が、互いに噛合して係合している前記コネクタ要素（５）中に挿入される可撓性ロッド（１８）として構成されることを特徴とする、コンベア装置（２）用のコンベアベルト（１）。
【請求項８】
請求項７に記載のコンベア装置（２）用のコンベアベルト（１）において、前記コネクタ要素（５）および前記コネクタ手段（６）が、非金属材料で作製されることを特徴とする、コンベア装置（２）用のコンベアベルト（１）。
【請求項９】
請求項４から８の一項に記載のコンベア装置（２）用のコンベアベルト（１）において、前記コンベアベルト（１）が、前記コンベアベルトの前記両端部に配置されたセットバック（１９）をさらに備えること、および前記コネクタ要素（５）が、前記セットバック（１９）上に配置され、それによって前記コネクタ要素（５）が、前記コンベアベルト（１）の厚さの範囲内に配置されることが可能となることを特徴とする、コンベア装置（２）用のコンベアベルト（１）。
【請求項１０】
前記コンベアベルト（１）上で搬送される製品を計量する働きをする計量システムであって、力測定装置（１６）および請求項１から９の一項に記載のコンベアベルト（１）を備える、計量システム。
【請求項１１】
金属検出器（１３）およびコンベア装置（２）を有する、前記コンベアベルト（１）上で搬送される製品中の金属汚染物質を検出するための金属検出システムであって、前記コンベア装置（２）が、請求項１から９の一項に記載のコンベアベルト（１）を備える、金属検出システム。
【請求項１２】
前記計量システムが秤量スケールである、請求項１０に記載の計量システム。
【考案の詳細な説明】
【技術分野】
【０００１】
本考案は、好ましくは動的計量システムに、かつ／または金属検出システムとともに使用される種類のコンベア装置用のコンベアベルトに関する。
【背景技術】
【０００２】
動的秤量スケールは、医薬品または化粧品、食品、飲料の製造、ならびにロジスティクス、化学、自動車部品、および金属加工工業において、品質保証の重要な要素である。動的秤量スケールは、既存の資源の利用を改善するだけでなく、国家規格、度量衡要件、および工業標準を満たす一助ともなる。有効な秤量システムは、製品欠陥を防止する役割を果たし、全体的な操業費用を削減する。
【０００３】
動的秤量スケールは、生産ラインに沿ってスケールを横切って経路上を進む物品を計量するシステムであり、このシステムは、所与の重量階層に物品を分類し、それらの重量分類に従って物品を仕分けする、または生産経路からそれらの物品を分岐させるものである。秤量スケールは、例えば、
−  重量不足、または重量超過を調べる製品検査、
−  包装された商品の正味内容の法的要件の遵守、
−  秤量スケールから得られた計量結果に基づいて、充填機の設定を制御することによる、製品試用品（ｐｒｏｄｕｃｔ  ｇｉｖｅ−ａｗａｙ）の減少、
−  重量に従った物品の分類、
−  生産設備または生産ラインの性能の測定および記録、
−  重量に基づく個数計数照合
を含めて、幅広い用途において見られる。
【０００４】
秤量スケールを用いると、生産ラインを流れる物品の１００％が計量される。したがって、あらゆる生産データの完全な記録が、物品計数、生産ロットトレーサビリティ、または生産統計の目的で収集される。
【０００５】
秤量スケールと同様に、金属検出器もやはり、有効な品質保証システムの重要な構成要素の１つである。金属検出器は、製品汚染を調べるために工業ユーザによって使用され、製品汚染には、食肉中の散弾、穀物類中のワイヤ破片、製造機械類の修理作業から残留した金属チップ、または製品の加工中に取り込まれた汚染物質などがある。
【０００６】
工業用金属検出システムは、金属異物を検出し、仕分けする機能を備えた、高度に開発された装置である。検出可能なものには、高級鋼を含む鉄系金属、ならびに黄銅、銅、アルミニウム、および鉛などの非鉄系金属が含まれる。典型的な金属検出システムは、以下の４つの主な構成要素、すなわちセンサヘッド、コンベア装置、操作ユニット、および自動ダイバータシステム（ｄｉｖｅｒｔｅｒ  ｓｙｓｔｅｍ）からなる。
【０００７】
広く使用されている部類の金属検出器には、対称コイルが装備される。３つのコイルが、非金属のコイル巻型上に、それらの巻線が互いに正確に平行となるように配置される。３つのコイルのうち、中央のコイルは、高周波電流を通電し、それによって対応する磁界が生成される。外側の２つのコイルは、受信器として機能し、金属汚染物質が金属検出器を通過しない限り、２つの受信コイル内で同一の電圧が誘起され、これは２つの受信コイルが中央コイルに対して対称に配置されるためである。金属汚染物質を含有した製品がこのコイル構成を通過すると、第１の受信コイル付近でまず磁界が乱れ、次いで第２の受信コイル付近で磁界が乱れる。こうした磁界の乱れによって、受信コイル内で誘起される電圧に変動が生じ、その結果得られる信号を処理して、金属汚染を検出することができる。
【０００８】
動的秤量スケールでも、金属検出器でも、物品は、コンベア装置上で検査装置、すなわちスケールまたは金属検出器へと、またそこから搬送され、それらの物品はまた、コンベア上を進んで、検査装置上を、またはその中を通過して流れる。
【０００９】
従来のコンベアベルトは、分離不可能に一体溶接された、または接着的に一体接合された指状スプライス（ｆｉｎｇｅｒ  ｓｐｌｉｃｅ）を含む無端状バンドとして設計される。この種のコンベアベルトが、例えばＧＢ９１７２６０Ａに開示されている。この種の永久連結された無端状ベルトは、例えば、ベルトを修理の目的で交換するためにコンベアベルトを取り外す必要がある場合に、コンベア機構全体を分解しなければならないという問題を呈する。
【先行技術文献】
【特許文献】
【００１０】
【特許文献１】ＧＢ９１７２６０Ａ
【考案の概要】
【考案が解決しようとする課題】
【００１１】
したがって、より簡単に取り外すことができるコンベアベルトが求められている。
【課題を解決するための手段】
【００１２】
この課題は、請求項１に記載の特徴を有するコンベアベルトによって解決される。コンベア装置用のコンベアベルトは、無端状バンドの形状、すなわち閉ループの形状にすることができ、また、コンベアベルトの全幅にわたって延在するコネクタ機構を含む設計によって、前記形状から解除することができる。このコネクタ機構は、搬送移動方向の引裂き強度特性と、横方向の可撓特性とを兼ね備える。このコネクタ機構は、コンベアベルトの搬送方向に対して９０°以外の斜角でコンベアベルトの全幅を横断する。
【００１３】
このコネクタ機構は、斜めに位置合せされるため、搬入コンベアから物品を受け取るとき、または搬出コンベアに物品を送り出すときの機械的な外乱に関して、計量結果に対する影響が大幅に小さくなる。さらに、解除可能な連結部によって、コンベアベルトの取付け、および取外しがかなり簡単になる。
【００１４】
本考案の一実施形態では、その角度は７０°から９０°の間である。
本考案のさらなる実施形態では、その角度は正確に８０°である。
本考案のさらなる発展形態によれば、コネクタ機構は、スケールコンベアベルトの両端部にあるコネクタ領域内に配置された複数のコネクタ要素と、コンベアベルトが閉ループにつなぎ合わされた後に、そのコンベアベルトを係止するコネクタ手段とを有する。その結果、コンベアベルトは、コンベアシステムの他の構成要素を解体する、またはコンベアベルトを破断する必要すらなく、簡単に取り出し、取り付け直すことができる。
【００１５】
本考案のさらなる実施形態では、コネクタ要素は、互いに噛合可能な第１の螺旋シーム、および第２の螺旋シームとして構成される。これらの螺旋は、コンベアベルトの全幅にわたって延在し、断続しないユニットとしてコンベアベルトに組み込まれ、それによってコネクタ機構のより高い引裂き強度が実現される。
【００１６】
本考案の代替実施形態は、コネクタ要素が互いに噛合可能なループとして構成されるという際立った特徴を有する。コネクタ要素のこのループ形状の設計は、一方の組のループが、他方の組のループの間隙空間に入り込む噛合が、より容易に実現されるという利点を有する。
【００１７】
本考案の好ましい実施形態によれば、コネクタ手段は可撓性ロッドとして構成され、コネクタ要素が互いに噛合して係合した後に、それらのコネクタ要素中を定位置まで摺動される。相互に噛合したコネクタ要素は、搬送方向を横切る方向に延在する空間を形成し、その空間中に可撓性ロッドが挿入されて、安定した非永久連結部が形成され、この連結部は、コンベアベルトを取り外す目的でロッドが再度引き抜かれるまで持続する。この取付け、および解体方法は、何度でも繰り返され得るという利点を有する。
【００１８】
本考案のさらなる好ましい実施形態によれば、コネクタ要素、およびコネクタ手段は、非金属材料で作製される。このことにより、機械ベルトコネクタが、金属検出システムを経由して製品を搬送するためのコンベアベルトに使用されることが可能となる。
【００１９】
本考案のさらなる好ましい実施形態によれば、コンベアベルトは、コネクタ要素が配置される両端部に沿ってセットバック（ｓｅｔｂａｃｋ）を有する。このセットバックにより、コネクタ要素がコンベアベルトの厚さの範囲内に配置されることが可能となる。
【００２０】
本考案によるコンベアベルトの好ましい用途は、力計測装置およびスケールコンベアを有する、コンベアベルト上で搬送される製品を計量するための計量システム、特に秤量スケール、および／または金属検出器およびベルトコンベア装置を有する、コンベアベルト上で搬送される製品中の金属汚染物質を検出するための金属検出システムにある。
【００２１】
以下で、添付の図面に例示された好ましい実施形態の例を用いながら、本考案がさらに説明される。
【図面の簡単な説明】
【００２２】
【図１】ベルトの２つの端部間の連結部を対象とした、コンベアベルトの３次元表示図である。
【図２】図１のＸの詳細な拡大側面図である。
【図３】コネクタ要素として第１の螺旋および第２の螺旋を有するコネクタ機構を、コンベアベルトが開いた状態で示す概略図である。
【図４】コネクタ要素としてループを有するコネクタ機構を、コンベアベルトが開いた状態で示す概略図である。
【図５】コネクタ要素としてループを有するコネクタ機構を、コンベアベルトが閉じた状態で示す概略図である。
【図６】セットバック、およびコネクタ要素としてのループを有するコネクタ機構を、コンベアベルトが閉じた状態で示す３次元表示図である。
【図７】秤量スケール、金属検出器、およびコンベアベルトを有する搬送システムを備えた計量／金属検出システムを示す図である。
【考案を実施するための形態】
【００２３】
図１は、コンベア装置２に使用される種類のコンベアベルト１を示す。現況技術によれば、搬送装置２の組立工程の適切な段階で、ベルト１は、コンベア装置の両遠端部にある２つのローラ１７の周囲に掛けられ、連結部１０で互いに接合される。こうした接合部は、ほとんどの場合、端部同士を一体に溶接することによって形成され、これらの端部は溶接目的で特定的に設計される。接合部１０を斜角で斜めにすることによって、コンベアベルトが動作中にローラ１７上を進む際の接合部の応力が最小限に抑えられ、また、コンベアベルトのより緩やかな撓曲が可能となり、その結果、振動のレベルが低減されることになる。
【００２４】
図２は、本考案によるコンベアベルト１のコネクタ機構３を概略的に示す。ベルトの両端部にコネクタ要素５が配置され、これらの要素は、一体に合わせられると、共通の閉鎖空間９を画定する。コネクタ手段６が、閉鎖空間９中に挿入され、それによってコンベアベルトが閉ループとして一体に保持される。コネクタ手段６は、この場合、ローラの周りを進む際にそれ自体が順応するように、十分な可撓性を有する可撓性ロッド１８として構成され、したがってロッド１８は、永久変形を受けることはない。
【００２５】
コネクタ要素５が、第１の螺旋７Ａ、および第２の螺旋７Ｂとして構成される実施可能な設計が、図３に示される。各螺旋７Ａ、７Ｂの一部が、コンベアベルト１に堅固に連結され、螺旋７Ａ、７Ｂの残りの部分は、コネクタ領域１０の開空間に達する。２本の螺旋７Ａおよび７Ｂは、同じ回転方向、かつ同じピッチで巻き回され、すなわち個々のループの間は同じ距離であり、したがってこれらの螺旋を一体に合わせて閉鎖空間を形成することができる。
【００２６】
図４は、ループ８としてのコネクタ要素のさらなる実施形態を示す。多数のループ８が、コンベアベルトの両端部に、コネクタ領域１０に沿って規則正しい間隔で配置される。ループ８は全て、コンベアベルト１の各端部に堅固に係留され、コネクタ領域１０に突出した１列のアーチを形成する。コンベアベルトを無端状リボンに閉じるには、ベルトの一端のループ８が、ベルトの他端の隣接するループ８同士の間の空間に挿入されなければならず、その後、コネクタ手段６が、ループ８によって形成されたトンネル９中に摺動される。図４で分かるように、右側のベルト端部のループ８は、隣接するループ８同士の間の間隔の１／２ずつ、コネクタ領域１０に沿ってずらされ、したがって右側のベルト端部のループ８は、左側のベルト端部のループ同士の間の空間に据えられることが可能である。
【００２７】
コネクタ要素５の厚さ、および線密度、すなわちベルトの幅にわたる長さの単位当たりのループの数は、コンベア装置２のコンベアベルト１の設計に依存して変えることができる。高張力下にあるコンベアベルトでは、厚さおよび／または線密度は、それに応じて増大させなければならなくなる。
【００２８】
図４に示される種類のコンベアベルト１の一部が、図５に概略的に示される。右側のベルト端部のループは、左側のベルト端部のループ８同士の間の空間に達する。可撓性ロッド１８の形状のコネクタ手段６が、ループ８によって画定された閉鎖空間またはトンネル９中に挿入される。
【００２９】
図６は、ループ８を有するコンベアベルト１を、閉じた状態で再度示す。ループ８同士の間隔は、この場合、他方のベルト端部のループ８が隙間を埋めるのに十分なちょうどの広さである。この間隔により、コネクタ機構３の横方向の遊びが最小限に抑えられ、コンベアベルト１の引裂き強度が増す。コンベアベルト１の厚さを低減させるセットバック１９がベルトの両端部にあり、それによってループがコンベアベルト１の厚さよりも上に突出しない設計構成が可能となり、したがってコンベア装置２が全体的により円滑に進み、また、コネクタ機構３がローラ１７上を進む際にコンベアベルト１が伸張することがない。
【００３０】
コネクタ要素５の材料と、コネクタ手段６の材料とは、異なる判定基準に従って選択され得る。金属材料、特に鋼が、より高い引張強度を得るために好ましい。コネクタ機構３が、金属検出システム１１を経由して物品を搬送するコンベアベルト１に使用される場合、その材料は、金属検出システム１１の機能を妨げないように、非金属性である必要がある。
【００３１】
図７は、本考案によるコンベアベルト１の、秤量スケール１２が金属検出器１３と組み合わされた計量／金属検出システム１１における利点を示す働きをする。この計量／金属検出システム１１は、支持フレーム１４を有し、この支持フレーム１４を介して、秤量スケール１２、および金属検出器１３が床上に載置されている。この構成では、コンベアベルト１は、金属検出器１３の開口１５を通過する。序文で上述したように、広く使用されている部類の金属検出器は、３つのコイルが、非金属コイル巻型上に、それらの巻線が互いに平行になるように配置される。したがって、コンベアベルト１の取付け、または取外しには、多大な労力、すなわち労働時間および人員が伴う。コネクタ機構３を用いると、１人の人員が、コネクタ手段６を引き抜く、または挿入し、それによってコンベアベルト１をその閉ループ状態から２つの端部を有するリボンの形状に、またはその逆にすることによって、コンベアベルト１を非常に短時間で解体または取り付け直すことができる。
【００３２】
計量／金属検出システム１１の秤量スケール１２は、コンベア装置２および力測定装置１６から構成される。力測定装置１６は、コンベア装置２の下に横方向に配置され、コンベア装置２のコンベアベルト１上で搬送される物品を計量する機能を有する。コネクタ機構３の向きが搬送方向４に対して９０°以外の角度になっているので、コンベアベルト１がローラ１７の周囲で折り返すのが円滑になり、または、言い換えれば、力測定装置１６に伝達される振動のレベルが低減し、このことは、秤量スケール１２によって生成される計量結果に有益な意義をもたらす。
【符号の説明】
【００３３】
１  コンベアベルト
２  コンベア装置、搬送装置
３  コネクタ機構
４  搬送方向
５  コネクタ要素
６  コネクタ手段
７Ａ、７Ｂ  螺旋シーム
８  ループ
９  閉鎖空間、トンネル
１０  連結部、コネクタ領域
１１  計量／金属検出システム
１２  秤量スケール
１３  金属検出器
１４  支持フレーム
１５  金属検出器開口
１６  力測定装置
１７  ローラ
１８  ロッド
１９  セットバック
【図１】
0003186985.tif 000003
【図２】
0003186985.tif 000004
【図３】
0003186985.tif 000005
【図４】
0003186985.tif 000006
【図５】
0003186985.tif 000007
【図６】
0003186985.tif 000008
【図７】
0003186985.tif 000009